(57)【要約】【課題】光警報装置を小型化すると共に、外光の影響による電子部品の劣化を防止可能な光警報装置を提供することを目的とする。【解決手段】防護領域に異常が検出されると発光素子を発光する発光部と当該発光部を制御する制御部とを内部に収納し、発光部からの光を透過する窓部を発光部の前面に有する筐体を備え、設置面に設けられる光警報装置であって、制御部は第１の基板に設けられ、発光部は、第１の基板の前面側に配置され、第１の基板と略同一またはそれ以上の大きさに形成された第２の基板に設けられたことを特徴とするものである。【選択図】図１
2015162143.tif 000002
【特許請求の範囲】
【請求項１】
防護領域に異常が検出されると発光素子を発光する発光部と当該発光部を制御する制御部とを内部に収納し、前記発光部からの光を透過する窓部を前記発光部の前面に有する筐体を備え、設置面に設けられる光警報装置であって、
前記制御部は第１の基板に設けられ、
前記発光部は、前記第１の基板の前面側に配置され、前記第１の基板と略同一またはそれ以上の大きさに形成された第２の基板に設けられたことを特徴とする光警報装置。
【請求項２】
前記第２の基板は、前記防護領域の設置面と略同一平面上に設けられたことを特徴とする請求項１記載の光警報装置。
【請求項３】
前記第２の基板は、前記発光部または前記発光素子のみを備えたことを特徴とする請求項１または２記載の光警報装置。
【発明の詳細な説明】
【技術分野】
【０００１】
本発明は、外光による電子部品の劣化を軽減する光警報装置に関するものである。
【背景技術】
【０００２】
従来、防護領域で発生した異常を知らせる手段として、光による警報を行う光警報装置があった（例えば、特許文献１を参照）。このような光警報装置は、一枚の基板上に発光部と制御部等の電子部品を配置し、発光部の光を透過する窓部で覆うと共に、紫外線等の外光の影響による電子部品の劣化を防止するため、基板の表面に白い紙によって形成された保護材を設けていた。
【先行技術文献】
【特許文献】
【０００３】
【特許文献１】特開２０１０−１０８４６１号公報
【発明の概要】
【発明が解決しようとする課題】
【０００４】
近年、光警報装置は、無線式の警報装置と連動させるなど、機能の拡張に伴い基板の大型化や形状の複雑化を招いているが、このような光警報装置を小型化する際、保護材を単純な形状にすると、光警報装置の小型化の妨げになる虞があった。
【０００５】
そこで本発明は、外光の影響による電子部品の劣化を防止すると共に、小型化可能な光警報装置を提供することを目的とする。
【課題を解決するための手段】
【０００６】
本発明は、防護領域に異常が検出されると発光素子を発光する発光部と当該発光部を制御する制御部とを内部に収納し、発光部からの光を透過する窓部を発光部の前面に有する筐体を備え、設置面に設けられる光警報装置であって、制御部は第１の基板に設けられ、発光部は、第１の基板の前面側に配置され、第１の基板と略同一またはそれ以上の大きさに形成された第２の基板に設けられたことを特徴とするものである。
【０００７】
また本発明の第２の基板は、防護領域の設置面と略同一平面上に設けられたことを特徴とするものである。
【０００８】
また本発明の第２の基板は、発光部または発光素子のみを備えたことを特徴とするものである。
【発明の効果】
【０００９】
本発明によれば、第１の基板と略同一またはそれ以上の大きさに形成された第２の基板に発光部を備え、第２の基板を第１の基板より前面（窓部）側に設けたので、第２の基板によって第１の基板への外光を遮ることが可能となる。
これにより、第１の基板に設けられた制御部（電子部品）が外光の影響によって劣化することを防止できる。
【００１０】
また本発明によれば、第２の基盤を防護領域の設置面と略同一平面上に設けたので、筐体の側面から入る外光を壁面によって遮ることが可能となる。
【００１１】
また本発明によれば、第２の基盤に発光部または発光素子のみを備えたので、外光の影響によって劣化した基盤を交換する際、容易に交換できる。
【図面の簡単な説明】
【００１２】
【図１】本発明の実施形態を示す図であり、光警報装置の分解斜視図である。
【図２】本発明の実施形態を示す図であり、光警報装置の全体斜視図である。
【図３】本発明の実施形態を示す図であり、光警報装置の設置面設置状態斜視図である。
【図４】本発明の実施形態を示す図であり、図３のＡ−Ａ線断面図である。
【発明を実施するための形態】
【００１３】
本発明の実施形態を図１乃至図４に基づき説明する。
先ず、光警報装置１の構成について図１及び図２に基づき説明する。
【００１４】
光警報装置１は、窓部２、第１の基板３、第２の基板４、底蓋５、発光部６、接続部７、脚部８を備え、窓部２と底蓋５とで筐体を形成している。
【００１５】
窓部２は、半円柱状に形成された前面窓部２ａと、枠状に形成された枠部２ｂとが半透明の樹脂材によって一体に形成されている。
前面窓部２ａの内面は鋸状に形成され、発光部６からの光を外部に拡散させるようになっている。
【００１６】
第１の基板３は平板状に形成され、マイコン等の電子部品からなる制御部が基板上に設けられている。そして第１の基板３は、窓部２の枠部２ｂより小径に形成され、枠部２ｂ内に収納される。
【００１７】
さらに第１の基板３は図示しない通信部、例えば無線式のアンテナ、または有線による信号線等を備え、当該通信部が防護領域に設けられた火災感知器等の警報器からの警報信号を受信することによって、図示しない制御部が発光部６を発光させるものとなっている。
【００１８】
第２の基板４は、チップＬＥＤ等の発光素子と昇圧回路からなる発光部６を備え、チップＬＥＤ等の発光素子のみが第２の基板４の防護領域（前面）側の面に設けられ、昇圧回路は発光素子と反対側の面に設けられる。なお、昇圧回路は第１の基板３に設けるようにしても良い。
【００１９】
さらに第２の基板４は、第１の基板３と略同一またはそれ以上の大きさで白色平板状に形成され、第１の基板３より防護領域（前面）側に設けられ、枠部２ｂ内に収納される。
このとき、第２の基板４は窓部２の前面窓部２ａと枠部２ｂの接続部と同一平面上になるように設けられ、第１の基板３と第２の基板４は、接続部７によって電気的に接続されている。
【００２０】
また、第１の基板３と第２の基板４は、その四隅に円柱状に形成された脚部８が貫通して設けられ、裏蓋５に脚部８が固定されることによって所定の間隔で固定される。
裏蓋５は窓部２の枠部２ｂと略同一の大きさに形成され、枠部２ｂと接着して結合される。
【００２１】
次に、本発明の光警報装置１を設置面に設置した状態を図３及び図４に基づき説明する。
【００２２】
設置面としての壁９には、光警報装置１の枠部２ｂと略同一の大きさからなる開口部が設けられ、窓部２の前面窓部２ａのみが防護領域側に露出するように設けられている。
このとき、第２の基板４は窓部２の前面窓部２ａと枠部２ｂの接続部と同一平面上に設けられている。つまり、第２の基板４は壁９の防護領域側の面と同一平面上になる位置に設けられるので、枠部２ｂの周囲を壁９で覆うことが可能となる。
【００２３】
次に、防護領域内での監視状態及び火災状態における光警報装置１の動作を説明する。
監視状態において、光警報装置１は、壁９に設けられた開口部から窓部２の前面窓部２ａのみが防護領域側に露出するように設けられる。そして、防護領域側の窓部２（前面窓部２ａ）から外光が入射すると、前面窓部２ａを透過した外光は第２の基板４に照射され、第１の基板３に照射されないので、第１の基板３に設けられた制御部（電子部品）を外光から保護することが可能となる。
【００２４】
さらに、窓部２の枠部３側面から入射する外光は壁９によって遮断されるので、側面からの外光も遮断できるものとなっている。
【００２５】
次に、防護領域内で火災等の異常が発生すると、防護領域に設けられた図示しない火災感知器等の警報器は、無線または有線によって警報信号を出力する。
【００２６】
光警報装置１は、警報器から出力された警報信号を受信すると、制御部が発光部６を発光する制御信号を出力する。制御部から出力された制御信号は、接続部７を介して第２の基板４に出力され、発光部６が発光する。
【００２７】
発光部６から発せられた光は放射状に広がり、鋸状に形成された前面窓部２ａの内面に当たり、外部に拡散される。
これにより、前面窓部２ａが全体的に発光するので、防護領域内の人に気がつきやすくなっている。
【００２８】
このように、第２の基板４を第１の基板３と略同一またはそれ以上の大きさに形成し、第２の基板４は、第１の基板３より防護領域（前面）側に設けたので、窓部２の前面窓部２ａから入る外光を第２の基板４で遮光し、窓部２の枠部２ｂ側面から入る外光を壁９によって遮光するので、第１の基板３に直接外光が当たることを防止できるものとなっている。
これにより、第１の基板３に設けられた制御部等の電子部品の劣化を防止できる。
【００２９】
なお、窓部２は前面窓部２ａ及び枠部２ｂを一体にして形成されているものとしたが、それぞれ別体に形成し、係合させるようにしても良い。
【００３０】
また、前記実施の形態では、警報器が防護領域の異常を検出するものとしたが、光警報装置１自体が防護領域の異常を検出する構成であっても良い。
また、窓部２の形状は円柱状に限定したものではなく、用途に応じて角型や球状としてもよい。
【００３１】
また、前面窓部２ａは、半透明の樹脂によって形成されているが、透明なガラス等、光を透過するものでもよい。
また、前記実施の形態では、第２の基板４に昇圧回路を備えているが、防護領域側の面とは反対側の面に制御回路等を配置してもよい。
【符号の説明】
【００３２】
１  光警報装置、２  窓部、２ａ  前面窓部、２ｂ  枠部、３  第１の基板、４  第２の基板、５  裏蓋、６  発光部、７  接続部、８  脚部、９  壁。
【図１】
2015162143.tif 000003
【図２】
2015162143.tif 000004
【図３】
2015162143.tif 000005
【図４】
2015162143.tif 000006